(57)【特許請求の範囲】
【請求項１】
駆動トランジスタと、電源線に前記駆動トランジスタを介して接続される自発光表示素子とを含む画素を複数有する表示部と、
画像信号に基づいて前記画像信号の表示の際に生じる複数の前記駆動トランジスタ間の負荷のばらつきを１または複数のフレーム単位で、かつ、前記画素毎に補正するための補正信号を、前記画像信号の輝度値を前記画素毎に階調反転することで生成し、前記１または複数のフレーム単位で交互に、かつ、前記画素毎に、前記電源線から前記駆動トランジスタを介して前記自発光表示素子へ通電できるように前記電源線の状態を制御し、かつ、前記駆動トランジスタのゲートに前記画像信号に基づく電圧を印加するか、または、前記電源線から前記駆動トランジスタを介して前記自発光表示素子へ通電できないように前記電源線の状態を制御し、かつ、前記駆動トランジスタの前記ゲートに前記補正信号に基づく電圧を印加する制御を行う制御部と
を備える画像表示装置。
【請求項２】
前記制御部が、
前記１または複数のフレーム単位で交互に、
前記各画素すべてについて前記電源線から前記駆動トランジスタを介して前記自発光表示素子へ通電できるように前記電源線の状態を制御するか、または、前記各画素すべてについて前記電源線から前記駆動トランジスタを介して前記自発光表示素子へ通電できないように前記電源線の状態を制御することで、
前記画素毎に、
前記電源線から前記駆動トランジスタを介して前記自発光表示素子へ通電できるように前記電源線の状態を制御して前記駆動トランジスタの前記ゲートに前記画像信号に基づく電圧を印加するか、または、前記電源線から前記駆動トランジスタを介して前記自発光表示素子へ通電できないように前記電源線の状態を制御して前記駆動トランジスタの前記ゲートに前記補正信号に基づく電圧を印加する制御を行う
請求項１に記載の画像表示装置。
【請求項３】
前記制御部が、
前記１または複数のフレーム単位で交互に、
前記各画素の一部について前記電源線から前記駆動トランジスタを介して前記自発光表示素子へ通電できるように前記電源線の状態を制御するとともに前記各画素の残部について前記電源線から前記駆動トランジスタを介して前記自発光表示素子へ通電できないように前記電源線の状態を制御するか、または、前記一部について前記電源線から前記駆動トランジスタを介して前記自発光表示素子へ通電できないように前記電源線の状態を制御するとともに前記残部について前記電源線から前記駆動トランジスタを介して前記自発光表示素子へ通電できるように前記電源線の状態を制御することで、
前記画素毎に、
前記電源線から前記駆動トランジスタを介して前記自発光表示素子へ通電できるように前記電源線の状態を制御して前記駆動トランジスタの前記ゲートに前記画像信号に基づく電圧を印加するか、または、前記電源線から前記駆動トランジスタを介して前記自発光表示素子へ通電できないように前記電源線の状態を制御して前記駆動トランジスタの前記ゲートに前記補正信号に基づく電圧を印加する制御を行う
請求項１に記載の画像表示装置。
【請求項４】
前記補正信号が、前記画像信号に基づいて前記各駆動トランジスタの前記各ゲートに印加される電圧値に応じて生成される
請求項１〜３のいずれか１項に記載の画像表示装置。
【請求項５】
駆動トランジスタと、電源線に前記駆動トランジスタを介して接続される自発光表示素子とを含む画素を複数有する表示部と、
画像信号の輝度値を前記画素毎に階調反転することで補正信号を生成し、前記電源線から前記駆動トランジスタを介して前記自発光表示素子へ通電できるように前記電源線の状態を制御したときに、前記駆動トランジスタのゲートに前記画像信号に基づく電圧を印加し、前記電源線から前記駆動トランジスタを介して前記自発光表示素子へ通電できないように前記電源線の状態を制御したときに、前記駆動トランジスタの前記ゲートに前記補正信号に基づく電圧を印加する制御を行う制御部と
を備える画像表示装置。
【請求項６】
前記制御部は、前記電源線の状態を、前記電源線から前記駆動トランジスタを介して前記自発光表示素子へ通電できる状態と、前記電源線から前記駆動トランジスタを介して前記自発光表示素子へ通電できない状態とに、１または複数のフレーム単位で交互に制御する請求項５に記載の画像表示装置。
【請求項７】
複数の電源線と、複数のゲート線と、複数のデータ線と、前記複数の電源線のいずれか、前記複数のゲート線のいずれか、および前記複数のデータ線のいずれかにそれぞれ接続される複数の画素とを有する表示部と、
前記複数の電源線の状態、前記複数のゲート線の状態、および前記複数のデータ線の状態を制御する制御部と
を備え、
前記各画素が、自発光表示素子と、前記自発光表示素子を駆動する駆動トランジスタと、選択トランジスタと、保持容量とを有し、
前記各画素において、
前記自発光表示素子が前記駆動トランジスタを介して前記複数の電源線のいずれかに接続され、
前記駆動トランジスタのゲートが前記選択トランジスタを介して前記複数のデータ線のいずれかに接続され、
前記選択トランジスタのゲートが前記複数のゲート線のいずれかに接続され、
前記保持容量が前記選択トランジスタを介して前記駆動トランジスタの前記ゲートに対して前記データ線から印加された電圧を保持するものであり、
前記制御部が、
画像信号に基づいて前記画像信号の表示の際に生じる前記複数の駆動トランジスタ間の負荷のばらつきを１または複数のフレーム単位で、かつ、前記画素毎に補正するための補正信号を、前記画像信号の輝度値を前記画素毎に階調反転することで生成し、
前記画像信号に基づく電圧または前記補正信号に基づく電圧が前記１または複数のフレーム単位で順次選択されて前記複数のデータ線に対して供給されるよう制御するとともに、前記画像信号に基づく電圧の選択期間に同期して前記自発光表示素子が通電できる状態となるように前記複数の電源線を制御し、かつ、前記補正信号に基づく電圧の選択期間に同期して前記自発光表示素子が通電できない状態となるように前記複数の電源線を制御することで、
前記１または複数のフレーム単位で交互に、前記自発光表示素子が通電できる状態で前記駆動トランジスタの前記ゲートに前記画像信号に基づく電圧を前記画素毎に印加するか、または、前記自発光表示素子が通電できない状態で前記駆動トランジスタの前記ゲートに前記補正信号に基づく電圧を前記画素毎に印加する制御を行う
画像表示装置。
【請求項８】
前記制御部が、
前記１または複数のフレーム単位で交互に、
前記各画素すべてについて前記自発光表示素子が通電できる状態となるように前記複数の電源線を制御するか、または、前記各画素すべてについて前記自発光表示素子が通電できない状態となるように前記複数の電源線を制御する
請求項７に記載の画像表示装置。
【請求項９】
前記複数の画素と、前記複数のゲート線と、前記複数のデータ線とが行列状に配列され、かつ、前記各電源線が列状に配列されている前記各データ線に沿って配列されていて、
前記制御部が、
前記各フレームにおいて、前記画像信号に基づく電圧または前記補正信号に基づく電圧の一方が選択されて奇数列の前記複数のデータ線に対して供給されるとともに、前記画像信号に基づく電圧または前記補正信号に基づく電圧の他方が選択されて偶数列の前記複数のデータ線に対して供給されるように制御し、かつ、前記データ線の各列に対して供給される前記画像信号に基づく電圧または前記補正信号に基づく電圧が前記１フレーム単位で交互に異なるように制御するとともに、
前記各フレームにおいて、奇数列の前記電源線の状態と偶数列の前記電源線の状態とが互いに異なり、かつ、各列の前記電源線の状態が前記１フレーム単位で交互に異なるように制御することで、
前記１フレーム単位で交互に、前記自発光表示素子が通電できる状態で前記駆動トランジスタの前記ゲートに前記画像信号に基づく電圧を前記画素毎に印加するか、または、前記自発光表示素子が通電できない状態で前記駆動トランジスタの前記ゲートに前記補正信号に基づく電圧を前記画素毎に印加する制御を行う
請求項７に記載の画像表示装置。
【請求項１０】
前記複数の画素と、前記複数のゲート線と、前記複数のデータ線とが行列状に配列されていて、
前記制御部が、
前記画像信号に基づく電圧または前記補正信号に基づく電圧が前記複数のゲート線の各行の走査タイミングに同期して交互に選択されて前記複数のデータ線に対して供給され、かつ、前記各行の走査タイミングに同期して選択される前記画像信号に基づく電圧または前記補正信号に基づく電圧が前記１フレーム単位で交互に異なるように制御するとともに、
前記１フレーム単位で交互に、前記自発光表示素子が通電できる状態で前記駆動トランジスタの前記ゲートに前記画像信号に基づく電圧を前記画素毎に印加するか、または、前記自発光表示素子が通電できない状態で前記駆動トランジスタの前記ゲートに前記補正信号に基づく電圧を前記画素毎に印加する制御を行う
請求項７に記載の画像表示装置。
【請求項１１】
前記複数の画素と、前記複数のゲート線と、前記複数のデータ線とが行列状に配列されていて、
前記制御部が、
前記各フレームにおいて、奇数列の前記複数のデータ線に対して供給される前記画像信号に基づく電圧と前記補正信号に基づく電圧との並びが、偶数列の前記複数のデータ線に対して供給される前記画像信号に基づく電圧と前記補正信号に基づく電圧との並びとは異なり、かつ、前記画像信号に基づく電圧または前記補正信号に基づく電圧が前記複数のゲート線の各行の走査タイミングに同期して交互に選択されて前記複数のデータ線に対して供給され、かつ、前記各行の走査タイミングに同期して選択される前記画像信号に基づく電圧または前記補正信号に基づく電圧が前記複数フレーム単位で交互に異なるように制御するとともに、
前記複数フレーム単位で交互に、前記自発光表示素子が通電できる状態で前記駆動トランジスタの前記ゲートに前記画像信号に基づく電圧を前記画素毎に印加するか、または、前記自発光表示素子が通電できない状態で前記駆動トランジスタの前記ゲートに前記補正信号に基づく電圧を前記画素毎に印加する制御を行う
請求項７に記載の画像表示装置。
【請求項１２】
駆動トランジスタと、電源線に前記駆動トランジスタを介して接続される自発光表示素子とを含む画素を複数有する表示部を制御する装置であって、
画像信号に基づいて前記画像信号の表示の際に生じる複数の前記駆動トランジスタ間の負荷のばらつきを１または複数のフレーム単位で、かつ、前記画素毎に補正するための補正信号を、前記画像信号の輝度値を前記画素毎に階調反転することで生成し、前記１または複数のフレーム単位で交互に、かつ、前記画素毎に、前記電源線から前記駆動トランジスタを介して前記自発光表示素子へ通電できるように前記電源線の状態を制御し、かつ、前記駆動トランジスタのゲートに前記画像信号に基づく電圧を印加するか、または、前記電源線から前記駆動トランジスタを介して前記自発光表示素子へ通電できないように前記電源線の状態を制御し、かつ、前記駆動トランジスタの前記ゲートに前記補正信号に基づく電圧を印加する制御を行う制御部を備える
画像表示制御装置。
【請求項１３】
駆動トランジスタと、電源線に前記駆動トランジスタを介して接続される自発光表示素子とを含む画素を複数有する表示部を制御する方法であって、
制御部によって、画像信号に基づいて前記画像信号の表示の際に生じる複数の前記駆動トランジスタ間の負荷のばらつきを１または複数のフレーム単位で、かつ、前記画素毎に補正するための補正信号を、前記画像信号の輝度値を前記画素毎に階調反転することで生成し、前記１または複数のフレーム単位で交互に、かつ、前記画素毎に、前記電源線から前記駆動トランジスタを介して前記自発光表示素子へ通電できるように前記電源線の状態を制御し、かつ、前記駆動トランジスタのゲートに前記画像信号に基づく電圧を印加するか、または、前記電源線から前記駆動トランジスタを介して前記自発光表示素子へ通電できないように前記電源線の状態を制御し、かつ、前記駆動トランジスタの前記ゲートに前記補正信号に基づく電圧を印加する制御を行う
画像表示制御方法。
【発明の詳細な説明】
【技術分野】
【０００１】
本発明は、画像表示装置、画像表示制御装置および画像表示方法に関する。
【背景技術】
【０００２】
有機発光ダイオード（ＯＬＥＤ；Organic Light Emitting Diode）等の自発光による表示デバイス（以下、自発光表示素子ともいう）を用いてディスプレイの各画素を構成する場合、各画素では画像出力時の発光量に応じた輝度劣化が生じる。そのため、出力画像によっては各画素間の輝度ムラによって表示品位の低下が発生する場合がある。この輝度ムラは、例えば駆動ＴＦＴ（Thin Film Transistor；薄膜トランジスタ）の電気的ストレスによって面内の差（特性分布）が大きくなるために生じる。【０００３】
特許文献１は、ＯＬＥＤディスプレイに含まれる各画素の電気的特性の変化を補償する装置を開示する。特許文献１に記載されている装置では、例えば電源オフの際、各駆動ＴＦＴの閾値電圧と各駆動ＴＦＴの平均閾値電圧が測定される。この測定では、電源線に発光時とは逆極性の電圧が印加され、自発光表示素子や駆動ＴＦＴが持つ寄生キャパシタ等に発光時とは逆方向の電流が通電される。そして、駆動ＴＦＴがオフしたときのゲート電圧をデータ線を介して読み出すことで駆動ＴＦＴの閾値電圧が測定される。さらに、特許文献１に記載されている装置では、測定した各閾値電圧と平均閾値電圧との比較結果に基づいて、電気的負荷の小さい駆動ＴＦＴへ電圧負荷が印加される。この構成によれば、各駆動ＴＦＴの閾値電圧の分布を狭くすることができるので、閾値電圧の調整値を単一化することができる。
【先行技術文献】
【特許文献】
【０００４】
【特許文献１】日本国特表２００９−５４３１２３号公報
【発明の概要】
【発明が解決しようとする課題】
【０００５】
特許文献１に記載されている装置では、電気的負荷が比較的小さい駆動ＴＦＴへ電圧負荷を印加する際に、各駆動ＴＦＴの平均閾値電圧を測定した後、次の処理が行われる。すなわち、各駆動ＴＦＴの閾値電圧の測定と、平均閾値電圧との比較と、比較結果に基づく負荷電圧の選択と、選択された負荷電圧の駆動ＴＦＴへの印加とが、行列状に配列された各画素の行毎に順次実行される。例えば短時間でこれらの処理を実行しようとすると回路規模が大きくなることが想定される。したがって、例えば、任意の画像の表示中に表示品質を落とすことなくこれらの処理を実行しようとすると構成が複雑化するという課題が生じると考えられる。すなわち、特許文献１に記載されている技術では、構成を複雑化することなく、例えば任意の画像の表示中等、通常の画像表示状態において、電気的負荷の小さい駆動ＴＦＴへ電圧負荷を印加することができないという課題があった。【０００６】
本発明の目的は、構成を複雑化することなく駆動ＴＦＴの負荷のばらつきを補正することができる画像表示装置、画像表示制御装置および画像表示方法を提供することにある。
【課題を解決するための手段】
【０００７】
本発明の一態様は、駆動トランジスタと、電源線に前記駆動トランジスタを介して接続される自発光表示素子とを含む画素を複数有する表示部と、画像信号に基づいて前記画像信号の表示の際に生じる複数の前記駆動トランジスタ間の負荷のばらつきを１または複数のフレーム単位で、かつ、前記画素毎に補正するための補正信号を、前記画像信号の輝度値を前記画素毎に階調反転することで生成し、前記１または複数のフレーム単位で交互に、かつ、前記画素毎に、前記電源線から前記駆動トランジスタを介して前記自発光表示素子へ通電できるように前記電源線の状態を制御し、かつ、前記駆動トランジスタのゲートに前記画像信号に基づく電圧を印加するか、または、前記電源線から前記駆動トランジスタを介して前記自発光表示素子へ通電できないように前記電源線の状態を制御し、かつ、前記駆動トランジスタの前記ゲートに前記補正信号に基づく電圧を印加する制御を行う制御部とを備える画像表示装置である。
【０００８】
また、本発明の一態様は、駆動トランジスタと、電源線に前記駆動トランジスタを介して接続される自発光表示素子とを含む画素を複数有する表示部と、画像信号の輝度値を前記画素毎に階調反転することで補正信号を生成し、前記電源線から前記駆動トランジスタを介して前記自発光表示素子へ通電できるように前記電源線の状態を制御したときに、前記駆動トランジスタのゲートに前記画像信号に基づく電圧を印加し、前記電源線から前記駆動トランジスタを介して前記自発光表示素子へ通電できないように前記電源線の状態を制御したときに、前記駆動トランジスタの前記ゲートに前記補正信号に基づく電圧を印加する制御を行う制御部とを備える画像表示装置である。【０００９】
また、本発明の一態様は、複数の電源線と、複数のゲート線と、複数のデータ線と、前記複数の電源線のいずれか、前記複数のゲート線のいずれか、および前記複数のデータ線のいずれかにそれぞれ接続される複数の画素とを有する表示部と、前記複数の電源線の状態、前記複数のゲート線の状態、および前記複数のデータ線の状態を制御する制御部とを備え、前記各画素が、自発光表示素子と、前記自発光表示素子を駆動する駆動トランジスタと、選択トランジスタと、保持容量とを有し、前記各画素において、前記自発光表示素子が前記駆動トランジスタを介して前記複数の電源線のいずれかに接続され、前記駆動トランジスタのゲートが前記選択トランジスタを介して前記複数のデータ線のいずれかに接続され、前記選択トランジスタのゲートが前記複数のゲート線のいずれかに接続され、前記保持容量が前記選択トランジスタを介して前記駆動トランジスタの前記ゲートに対して前記データ線から印加された電圧を保持するものであり、前記制御部が、画像信号に基づいて前記画像信号の表示の際に生じる前記複数の駆動トランジスタ間の負荷のばらつきを１または複数のフレーム単位で、かつ、前記画素毎に補正するための補正信号を、前記画像信号の輝度値を前記画素毎に階調反転することで生成し、前記画像信号に基づく電圧または前記補正信号に基づく電圧が前記１または複数のフレーム単位で順次選択されて前記複数のデータ線に対して供給されるよう制御するとともに、前記画像信号に基づく電圧の選択期間に同期して前記自発光表示素子が通電できる状態となるように前記複数の電源線を制御し、かつ、前記補正信号に基づく電圧の選択期間に同期して前記自発光表示素子が通電できない状態となるように前記複数の電源線を制御することで、前記１または複数のフレーム単位で交互に、前記自発光表示素子が通電できる状態で前記駆動トランジスタの前記ゲートに前記画像信号に基づく電圧を前記画素毎に印加するか、または、前記自発光表示素子が通電できない状態で前記駆動トランジスタの前記ゲートに前記補正信号に基づく電圧を前記画素毎に印加する制御を行う画像表示装置である。
【００１０】
また、本発明の一態様は、駆動トランジスタと、電源線に前記駆動トランジスタを介して接続される自発光表示素子とを含む画素を複数有する表示部を制御する装置であって、画像信号に基づいて前記画像信号の表示の際に生じる複数の前記駆動トランジスタ間の負荷のばらつきを１または複数のフレーム単位で、かつ、前記画素毎に補正するための補正信号を、前記画像信号の輝度値を前記画素毎に階調反転することで生成し、前記１または複数のフレーム単位で交互に、かつ、前記画素毎に、前記電源線から前記駆動トランジスタを介して前記自発光表示素子へ通電できるように前記電源線の状態を制御し、かつ、前記駆動トランジスタのゲートに前記画像信号に基づく電圧を印加するか、または、前記電源線から前記駆動トランジスタを介して前記自発光表示素子へ通電できないように前記電源線の状態を制御し、かつ、前記駆動トランジスタの前記ゲートに前記補正信号に基づく電圧を印加する制御を行う制御部を備える画像表示制御装置である。
【００１１】
また、本発明の一態様は、駆動トランジスタと、電源線に前記駆動トランジスタを介して接続される自発光表示素子とを含む画素を複数有する表示部を制御する方法であって、制御部によって、画像信号に基づいて前記画像信号の表示の際に生じる複数の前記駆動トランジスタ間の負荷のばらつきを１または複数のフレーム単位で、かつ、前記画素毎に補正するための補正信号を、前記画像信号の輝度値を前記画素毎に階調反転することで生成し、前記１または複数のフレーム単位で交互に、かつ、前記画素毎に、前記電源線から前記駆動トランジスタを介して前記自発光表示素子へ通電できるように前記電源線の状態を制御し、かつ、前記駆動トランジスタのゲートに前記画像信号に基づく電圧を印加するか、または、前記電源線から前記駆動トランジスタを介して前記自発光表示素子へ通電できないように前記電源線の状態を制御し、かつ、前記駆動トランジスタの前記ゲートに前記補正信号に基づく電圧を印加する制御を行う画像表示制御方法である。
【発明の効果】
【００１２】
本発明によれば、構成を複雑化することなく駆動トランジスタの負荷のばらつきを補正することができる。
【図面の簡単な説明】
【００１３】
【図１】本発明の第１の実施形態に係る画像表示装置の基本的構成を示すブロック図である。
【図２】本発明の第２の実施形態に係る画像表示装置の構成例を示すブロック図である。
【図３】図２に示す表示部２の構成例を示すブロック図である。
【図４】図３に示す画素ＰＸの構成例を示す等価回路図である。
【図５】図２に示す画像表示装置１の動作例を説明するための図である。
【図６】図２に示す画像表示装置１の動作例を説明するための図である。
【図７】図３に示す表示部２の動作例を説明するための模式図である。
【図８】図２に示す画像表示装置１の動作例を説明するための模式図である。
【図９】図２に示す画像表示装置１の動作例との比較例を説明するための模式図である。
【図１０】図２に示す画像表示装置１の動作例を説明するための模式図である。
【図１１】本発明の第３の実施形態に係る表示部２ａの構成例を示すブロック図である。
【図１２】図１１に示す表示部２ａの動作例を説明するための模式図である。
【図１３】本発明の第４の実施形態に係る表示部２ｂの構成例を示すブロック図である。
【図１４】本発明の第４の実施形態に係る表示部２ｂの動作例を説明するための模式図である。
【図１５】本発明の第５の実施形態に係る表示部２ｃの構成例を示すブロック図である。
【図１６】本発明の第５の実施形態に係る表示部２ｃの動作例を説明するための模式図である。
【図１７】本発明の第５の実施形態に係る表示部２ｃの動作例を説明するための模式図である。
【発明を実施するための形態】
【００１４】
以下、図面を参照して本発明の実施形態について説明する。
【００１５】
＜第１の実施形態＞
図１は、本発明の第１の実施形態に係る画像表示装置１０１の基本的構成を示すブロック図である。図１に示す画像表示装置１０１は、表示部１０２と、制御部１０３を備える。表示部１０２は、複数の電源線１０４と、複数の画素１０５を含む。各画素１０５は、駆動トランジスタ１０６と、自発光表示素子１０７とを含む。自発光表示素子１０７は、電源線１０４に駆動トランジスタ１０６を介して接続される。
【００１６】
駆動トランジスタ１０６は、ドレイン、ソースおよびゲートを有する電界効果トランジスタであり、例えばＴＦＴである。駆動トランジスタ１０６は、ドレインまたはソースの一方を複数の電源線１０４のいずれかに接続するとともに、ドレインまたはソースの他方を自発光表示素子１０７の一方の端子に接続する。なお、図１では、画素１０５の構成を、自発光表示素子１０７が駆動トランジスタ１０６を介して電源線１０４に接続される形態で示しているが、自発光表示素子１０７を介して駆動トランジスタ１０６が電源線１０４に接続される形態であってもよい。なお、図１では、自発光表示素子１０７の他方の端子と図示していない電源線１０４の他方の端子（例えばグランド線）との接続は図示を省略している。
【００１７】
自発光表示素子１０７は、所定の電圧が印加されて所定の電流を通電した場合に発光する素子であり、例えば有機発光ダイオードである。
【００１８】
制御部１０３は、入力された画像信号（映像信号ともいう）に基づいて、画像信号の表示の際に生じる複数の駆動トランジスタ１０６間の負荷のばらつきを１または複数のフレーム単位で、かつ、画素１０５毎に補正するための補正信号を生成する。画像信号は、複数の画素１０５によって表示する画像を表す信号であり、例えば各画素１０５の輝度を表す信号である。本実施形態において各画素１０５の輝度は、各画素１０５の各駆動トランジスタ１０６のゲート電圧を変化させることで制御することができる。したがって、画像信号に応じて各駆動トランジスタ１０６のゲートに印加される電圧が変化する。
【００１９】
上述した負荷のばらつきとは、複数の駆動トランジスタ１０６に印加される電気的負荷の統計的ばらつきであり、例えば複数の駆動トランジスタ１０６の各ゲートに印加される各電圧値の範囲に対応する。画像信号の表示の際に生じる複数の駆動トランジスタ１０６間の負荷のばらつきとは、画像信号に基づいて複数の画素１０５が例えば１フレームの画像を表示する場合、当該フレームにおける各画素１０５が有する各駆動トランジスタ１０６のゲートに印加される電圧の範囲に対応する。
【００２０】
また、負荷のばらつきを１または複数のフレーム単位で、かつ、画素１０５毎に補正するための補正信号とは、画像信号を表示する際に各駆動トランジスタ１０６に印加された電気的負荷の範囲を狭くするために、各駆動トランジスタ１０６の各ゲートに対して印加される電圧（負荷電圧）を画素１０５毎に指示する信号である。例えば、画像信号を表示する際に、あるフレームで、ある駆動トランジスタ１０６に高いゲート電圧が印加され、ある駆動トランジスタ１０６に低いゲート電圧が印加されたとする。この場合、補正信号は、例えば、高いゲート電圧が印加された駆動トランジスタ１０６に対して次のフレームで低いゲート電圧の印加を指示するとともに、低いゲート電圧が印加された駆動トランジスタ１０６に対して次のフレームで高いゲート電圧の印加を指示する信号である。なお、複数のフレーム単位で負荷のばらつきを補正する場合には、次のように補正信号を生成することができる。すなわち、例えば、複数のフレームで画像信号の表示によって累積された負荷と、補正信号に基づいて１または複数のフレームで印加される負荷の合計値とが各画素１０５間で等しくなるように補正信号を生成することができる。
【００２１】
制御部１０３は、例えば、画像信号が表す各画素の各輝度値を画素毎に階調反転することで補正信号を生成することができる。あるいは、制御部１０３は、画像信号に基づいて各駆動トランジスタ１０６の各ゲートに印加される各電圧値に応じて補正信号を生成することができる。
【００２２】
本実施形態において、制御部１０３は、複数の駆動トランジスタ１０６の各ゲートに対して、画像信号に基づく電圧を印加する場合には、自発光表示素子１０７が発光できるように複数の電源線１０４を制御する。また、制御部１０３は、複数の駆動トランジスタ１０６の各ゲートに対して、補正信号に基づく電圧を印加する場合には、自発光表示素子１０７が発光できないように複数の電源線１０４を制御する。制御部１０３は、電源線制御信号を表示部１０２へ出力することで、複数の電源線１０４の状態を制御する。電源線制御信号は、電源線１０４から駆動トランジスタ１０６を介して自発光表示素子１０７へ通電できる電源線１０４の状態または通電できない電源線１０４の状態のどちらかの状態を電源線１０４毎にまたは各電源線１０４共通に指示する信号である。本実施形態では、制御部１０３は、電源線１０４から駆動トランジスタ１０６を介して自発光表示素子１０７へ通電できるように電源線１０４の状態を制御し、かつ、駆動トランジスタ１０６のゲートに画像信号に基づく電圧を印加する制御を行う。あるいは、制御部１０３は、電源線１０４から駆動トランジスタ１０６を介して自発光表示素子１０７へ通電できないように電源線１０４の状態を制御し、かつ、駆動トランジスタ１０６のゲートに補正信号に基づく電圧を印加する制御を行う。すなわち、本実施形態では、各自発光表示素子１０７は画像信号に応じて発光するが、各自発光表示素子１０７は補正信号に応じては発光しない。補正信号は、各自発光表示素子１０７を発光せずに各駆動トランジスタ１０６の各ゲートに負荷を印加するための信号である。
【００２３】
また、制御部１０３は、画像信号に基づく電圧を印加する制御と、補正信号に基づく電圧を印加する制御を、１または複数のフレーム単位で交互に、かつ、画素１０５毎に実行する。
【００２４】
なお、制御部１０３は、画像信号に基づく電圧印加の制御と、補正信号に基づく電圧印加の制御と、複数の電源線１０４の状態の制御とを、各フレームにおいて、すべての画素１０５に対して一様に行ってもよいし、異ならせてもよい。すなわち、画像を表示する際に、同一フレームにおいて、全部の画素１０５を画像信号に基づく表示状態としてもよいし、一部の画素１０５のみを画像信号に基づく表示状態として、かつ、残部の画素１０５を補正信号に基づく負荷電圧の印加状態（非表示状態）としてもよい。
【００２５】
また、電源線１０４から駆動トランジスタ１０６を介して自発光表示素子１０７へ通電できる電源線１０４の状態とは、次の状態である。すなわち、電源線１０４に対して、駆動トランジスタ１０６がオンしたときに自発光表示素子１０７が発光状態となりうる極性および電圧を持ち、かつ、所定の出力インピーダンス以下の電圧源が接続されている状態である。発光状態となりうる極性および電圧とは例えば自発光表示素子１０７が有機発光ダイオードである場合には順方向電圧に対応する極性および順方向電圧（閾値電圧）より大きい電圧である。また、所定の出力インピーダンス以下の電圧源とは、各自発光表示素子１０７に対して所定の電圧値以上を確保して十分な通電電流を供給することができる電圧源であることを意味する。また、電源線１０４から駆動トランジスタ１０６を介して自発光表示素子１０７へ通電できない電源線１０４の状態とは、次の状態である。すなわち、電源線１０４に対して、発光状態となりうる極性とは逆極性の電圧源が接続されている状態、または、順極性であるが順方向電圧より小さい出力電圧の電圧源が接続されている状態、または、電圧源と電源線１０４との間に挿入されているスイッチ等が遮断されている等の状態、または、所定の出力インピーダンス以下の電圧源が接続されていない状態である。
【００２６】
本実施形態において、制御部１０３は、例えば、１または複数のフレーム単位で交互に、複数の電源線１０４を次の２つの状態に制御することができる。すなわち、一方の状態は、制御部１０３が、各画素１０５すべてについて電源線１０４から駆動トランジスタ１０６を介して自発光表示素子１０７へ通電できるように複数の電源線１０４を制御した状態である。また、他方の状態は、制御部１０３が、各画素１０５すべてについて電源線１０４から駆動トランジスタ１０６を介して自発光表示素子１０７へ通電できないように電源線１０４を制御した状態である。そして、制御部１０３は、画素１０５毎に、次のいずれかの状態となるように駆動トランジスタ１０６のゲートに印加する電圧を選択する。すなわち、制御部１０３は、電源線１０４から駆動トランジスタ１０６を介して自発光表示素子１０７へ通電できるように電源線１０４の状態を制御して駆動トランジスタ１０６のゲートに画像信号に基づく電圧を印加する。あるいは、制御部１０３は、電源線１０４から駆動トランジスタ１０６を介して自発光表示素子１０７へ通電できないように電源線１０４の状態を制御して駆動トランジスタのゲートに補正信号に基づく電圧を印加する。
【００２７】
また、本実施形態において、制御部１０３は、例えば、１または複数のフレーム単位で交互に、複数の電源線１０４を次の２つの状態に制御することができる。すなわち、一方では、制御部１０３は、各画素１０５の一部について電源線１０４から駆動トランジスタ１０６を介して自発光表示素子１０７へ通電できるように電源線１０４の状態を制御するとともに各画素１０５の残部について通電できないように電源線１０４の状態を制御することができる。また、他方では、上記一部について電源線１０４から駆動トランジスタ１０６を介して自発光表示素子１０７へ通電できないように電源線１０４の状態を制御するとともに上記残部について通電できるように電源線１０４の状態を制御することができる。そして、制御部１０３は、画素１０５毎に、次のいずれかの状態となるように駆動トランジスタ１０６のゲートに印加する電圧を選択する。すなわち、制御部１０３は、電源線１０４から駆動トランジスタ１０６を介して自発光表示素子１０７へ通電できるように電源線１０４の状態を制御して駆動トランジスタ１０６のゲートに画像信号に基づく電圧を印加する。あるいは、制御部１０３は、電源線１０４から駆動トランジスタ１０６を介して自発光表示素子１０７へ通電できないように電源線１０４の状態を制御して駆動トランジスタ１０６のゲートに補正信号に基づく電圧を印加する。
【００２８】
以上のように、本実施形態によれば、１フレーム単位あるいは複数フレーム単位で、各画素１０５において、画像信号による通常の表示と、補正信号による駆動トランジスタ１０６への負荷の印加とを交互に実行することができる。その際、補正信号による駆動トランジスタ１０６への負荷の印加は、自発光表示素子１０７が非表示となるよう電源線１０４を制御した状態で実行される。この場合、画像信号と画像信号の間に非発光期間が設けられた形となるので、疑似インパルス駆動による動画ボヤケの抑制効果を得ることができる。また、補正信号は、閾値電圧の測定等の処理を伴わずに、画像信号に基づいて生成される。したがって、構成は複雑化されない。以上のように、本実施形態によれば、構成を複雑化することなく、かつ、画像表示中に表示品質を落とすことなく駆動トランジスタの負荷のばらつきを補正することができる。
【００２９】
＜第２の実施形態＞
次に図２〜図１０を参照して、本発明の第２の実施形態について説明する。図２は、本発明の第２の実施形態に係る画像表示装置１の構成例を示すブロック図である。図３は、図２に示す表示部２の構成例を示すブロック図である。図４は、図３に示す画素ＰＸの構成例を示す等価回路図である。図２に示す画像表示装置１は、表示部２と、信号出力部３と、信号変換部４とを備える。
【００３０】
なお、図２に示す画像表示装置１において、表示部２が図１に示す第１の実施形態の表示部１０２に対応する構成である。また、図２に示す信号出力部３と信号変換部４を組み合わせたもの、あるいはさらに図３に示す電源ライン制御部２４を組み合わせたものが図１に示す第１の実施形態の制御部１０３に対応する。
【００３１】
信号変換部４は、補正信号生成部４１と、記憶部４２とを備える。記憶部４２は、入力された１または複数フレーム分の画像信号を記憶する。補正信号生成部４１は、記憶部４２に記憶されている１または複数フレーム分の画像信号に基づいて補正信号を生成する。補正信号は、第１の実施形態と同様に、画像信号の輝度値を階調反転することで生成したり、画像信号に基づいて駆動ＴＦＴに供給するゲート電圧の値に基づいて生成したりすることができる。
【００３２】
信号出力部３は、信号変換部４へ入力された画像信号と、補正信号生成部４１から出力された補正信号とを入力する。信号出力部３は、例えば、現在のフレームの画像信号と、前回等の過去のフレームの画像信号に基づいて生成された補正信号とを、時分割で合成し、合成した信号を表示部２に対して出力する。以下では画像信号と補正信号を時分割で合成した信号を画像信号／補正信号とも記す。また、信号出力部３は、画像信号と補正信号との合成信号に同期させて電源ライン制御信号を表示部２に対して出力する。電源ライン制御信号は、図１に示す第１の実施形態の電源線制御信号に対応する信号であり、表示部２内の電源ラインを発光状態または非発光状態に対応した状態に制御するための信号である。
【００３３】
表示部２は、図３に示すように、表示パネル２１と、ゲートライン駆動部２２と、データライン駆動部２３と、電源ライン制御部２４とを備える。表示パネル２１は、ｎ行×ｍ列の行列状に配置されている複数（ｎ×ｍ個）の画素ＰＸを備える。また、表示パネル２１には、複数（ｍ本）の電源ライン（電源線）ＰＬ１、ＰＬ２、…、Ｐｌｍと、複数（ｎ本）のゲートライン（ゲート線）ＧＬ１、ＧＬ２、…、ＧＬｎと、複数（ｍ本）のデータライン（データ線）ＤＬ１、ＤＬ２、…、ＤＬｍとが配設されている。電源ラインＰＬ１、ＰＬ２、…、Ｐｌｍは、共通の電源ラインＰＬ０を介して電源ライン制御部２４の出力に接続されている。ゲートラインＧＬ１、ＧＬ２、…、ＧＬｎは、ゲートライン駆動部２２のｎ個の出力に接続されている。データラインＤＬ１、ＤＬ２、…、ＤＬｍは、データライン駆動部２３のｍ個の出力に接続されている。
【００３４】
図３に示す各画素ＰＸは、図４に示す構成を有する。図４は、各画素ＰＸの構成例を示す等価回路図である。図４に示す画素ＰＸは、ＯＬＥＤ等のＥＬ素子（エレクトロルミネッセンス素子）ＥＬＤと、駆動ＴＦＴ（ＴＦＴ２）と、選択ＴＦＴ（ＴＦＴ１）、保持容量Ｃｓとから構成されている。選択ＴＦＴ（ＴＦＴ１）のゲートはゲートライン駆動部２２に接続されたゲートラインＧＬｉに接続され、ドレインはデータライン駆動部２３に接続されたデータラインＤＬｉに接続されている。
【００３５】
なお、各画素ＰＸにおいて、ＥＬ素子ＥＬＤは、駆動ＴＦＴ（ＴＦＴ２）を介して電源ラインＰＬｉに接続されている。駆動ＴＦＴ（ＴＦＴ２）のゲートが選択ＴＦＴ（ＴＦＴ１）を介してデータラインＤＬｉに接続されている。また、保持容量Ｃｓは、選択ＴＦＴ（ＴＦＴ１）を介して駆動ＴＦＴ（ＴＦＴ２）のゲートに対してデータラインＤＬｉから印加された電圧Ｖｓｉを保持する。
【００３６】
また、選択用ＴＦＴ（ＴＦＴ１）のソースは、駆動ＴＦＴ（ＴＦＴ２）のゲートおよび保持容量Ｃｓに接続されている。駆動ＴＦＴ（ＴＦＴ２）のドレインはＥＬ素子ＥＬＤのアノード電極に接続され、ソースは電源ラインＰＬｉに接続されている。駆動ＴＦＴ（ＴＦＴ２）のＯＮ時（オン時）にＥＬ素子ＥＬＤへ駆動電位（Ｖｃｃ−Ｖｃａｔｈ）が印加され、ＥＬ素子ＥＬＤに注入される電子とホールの再結合によってＥＬ層が発光する。
【００３７】
図４において、電源ラインＰＬｉは、図３に示す電源ラインＰＬ１〜ＰＬｍのいずれかに対応する。ゲートラインＧＬｉは、図３に示すゲートラインＧＬ１〜ＧＬｎのいずれかに対応する。データラインＤＬｉは、図３に示すデータラインＤＬ１〜ＤＬｍのいずれかに対応する。電源ラインＰＬｉには、発光制御時にはＥＬ素子ＥＬＤに通電可能な順方向の所定の電圧値を有する電圧Ｖｃｃが印加され、非発光制御時にはＥＬ素子ＥＬＤに通電不可能な、順方向の低電圧あるいは逆方向の所定電圧の電圧Ｖｃｃが印加される。電圧ＶｃａｔｈはＥＬ素子ＥＬＤのカソード電圧である。駆動ＴＦＴ（ＴＦＴ２）がオンした場合、ＥＬ素子ＥＬＤには電圧Ｖｃｃと電圧Ｖｃａｔｈ間の差の電位が印加される。
【００３８】
図４に示す画素ＰＸにおいて、選択ＴＦＴ（ＴＦＴ１）には、ゲート選択期間に所定のゲート電圧Ｖｇｉ（電圧Ｖｏｎ）が印加される。ゲート電圧Ｖｇｉは図３に示すゲートラインＧＬ１〜ＧＬｎの電圧Ｖｇ１〜Ｖｇｎのいずれかに対応する。この選択期間は１回／１フレームであり、ＯＮ  Ｄｕｔｙ（オン・デューティ）は１／走査線数の割合で決まる。駆動ＴＦＴ（ＴＦＴ２）は、選択ＴＦＴ（ＴＦＴ１）のＯＮ時に保持容量Ｃｓに供給された電荷によって、次の選択期間までゲート電圧Ｖｓｉが印加される。
【００３９】
駆動ＴＦＴ（ＴＦＴ２）は、選択ＴＦＴ（ＴＦＴ１）よりゲート電圧ストレス印加時間が大きく、全ての期間においてゲート電圧ストレスが印加される状態である。そのため、ＴＦＴ特性劣化（閾値電圧Ｖｔｈのシフト）が選択ＴＦＴと比較して大きく促進する。データラインＤＬｉから供給される画像信号は画像毎に電位Ｖｓｉが異なるため、駆動ＴＦＴ（ＴＦＴ２）のゲート電圧ストレスは使用条件に依存する。この電位Ｖｓｉは図３に示すデータラインＤＬ１〜ＤＬｎの電圧Ｖｓ１〜Ｖｓｍのいずれかに対応する。例えばｎチャネルＴＦＴのＴＦＴ特性における閾値電圧Ｖｔｈが正の方向へシフトすると、駆動ＴＦＴがＥＬ素子ＥＬＤに供給する電流が小さくなり、発光輝度が低下する。長時的に使用すると、画像信号に応じて蓄積された各駆動ＴＦＴ（ＴＦＴ２）の劣化の差が大きくなり、画面内で輝度差（ムラ、焼付き）が発生する。
【００４０】
一方、図３に示すゲートライン駆動部２２は、所定のクロック信号に同期して複数のゲートラインＧＬ１、ＧＬ２、…、ＧＬｎを順次走査し、ゲートラインＧＬ１、ＧＬ２、…、ＧＬｎの電圧Ｖｇ１、Ｖｇ２、…、Ｖｇｎを所定期間、ゲートラインＧＬ１、ＧＬ２、…、ＧＬｎに接続されている各選択トランジスタＴＦＴ１をオンする電圧Ｖｏｎに設定する。
【００４１】
データライン駆動部２３は、図２に示す信号出力部３が出力した画像信号および補正信号の合成信号を入力し、対応する各画素ＰＸに入力されるように、ゲートラインＧＬ１、ＧＬ２、…、ＧＬｎの走査タイミングに同期させ、複数のデータラインＤＬ１、ＤＬ２、…、ＤＬｍに振り分けて出力する。
【００４２】
電源ライン制御部２４は、図２に示す信号出力部３が出力した電源ライン制御信号に応じて、電源ラインＰＬ０〜ＰＬｍの状態を制御する。電源ライン制御部２４は、電源ライン制御信号に応じて、出力電圧Ｖｃｃの状態を制御する。電源ライン制御信号が発光状態を指示する場合、電源ライン制御部２４は、電源ラインＰＬ０の電圧Ｖｃｃを、ＥＬ素子ＥＬＤに通電可能で順方向の所定の電圧値を有する電圧に制御する。電源ライン制御信号が非発光状態を指示する場合、電源ライン制御部２４は、例えば、電源ラインＰＬ０の電圧Ｖｃｃを、ＥＬ素子ＥＬＤに通電不可能で所定の電圧値を有する順方向の低電圧あるいは逆方向の所定の電圧値を有する電圧に制御する。
【００４３】
次に、信号変換部４における補正信号の生成例について説明する。信号変換部４は、補正信号を、前フレーム期間の画像信号を記憶部４２に記録し、記憶部４２に記録した画素データを元に補正信号生成部４１が所定の変換処理を実行することで生成する。変換処理の一例は、階調反転処理である。この場合、補正信号生成部４１は、画像信号の輝度データを直接変換することで補正信号を生成する。変換式の一例は、次の通りである。すなわち、画像信号のＲＧＢ値（Ｒ，Ｇ，Ｂ）＝（ｒ  ，ｇ，  ｂ）とした場合（ここで、ｒ、ｇ、ｂは０から２５５の整数）、補正信号のＲＧＢ値（Ｒ’，Ｇ’，Ｂ’）＝（２５５−ｒ，２５５−ｇ，２５５−ｂ）で求めることができる。図５（ａ）は画像信号（画像信号に基づく画像）の一例を示し、図５（ｂ）は階調値の分布を示す。図６（ａ）は図５（ａ）に示す画像信号を階調反転した階調反転信号（階調反転信号に基づく画像）を示し、図６（ｂ）は階調値の分布を示す。図５（ｂ）及び図６（ｂ）では、一例として、階調値（ｒ，ｇ，ｂ）のうち、ｒの階調値の分布を示している。ここで、図５（ｂ）及び図６（ｂ）では、ｇ，ｂの階調値の分布は図示していないが、同様の分布を抽出することができる。階調値の分布は、素子に対しては輝度データ、駆動ＴＦＴへの印加電圧、発光素子に流れる電流値と相関があるからである。
【００４４】
次に、図７を参照して、図２に示す画像表示装置１および図３に示す表示部２の動作例について説明する。図７は、図３に示す表示部２を画素ＰＸの個数を１６個として模式化して示した図であり、矢印ＡＲ１の左が２Ｎ−１（奇数）フレームの各画素ＰＸの表示状態を示し、矢印ＡＲ１の右が２Ｎ（偶数）フレームの各画素ＰＸの表示状態を示す。ここでＮは整数である。「Ｒ」と記された画素ＰＸが画像信号を表示している状態である。また、「Ｃ」と記された画素ＰＸが駆動ＴＦＴ（ＴＦＴ２）のゲートに補正信号に応じた電圧が印加され、かつ、電源ラインＰＬｉが非表示状態に制御されている状態である。本実施形態では、信号出力部３から表示部２に対して、フレーム毎に画像信号と補正信号が供給される。すなわち、２Ｎ−１フレームでは各画素ＰＸに画像信号が供給され、２Ｎフレームでは２Ｎ−１の画像信号に応じて生成された補正信号が供給される。また、信号出力部３は、画像信号／補正信号のタイミングと電源ラインＰＬｉの電流供給／非供給を同期させるよう電源ライン制御信号を生成して、表示部２へ出力する。すなわち、２Ｎ−１フレームでは電圧Ｖｃｃは各画素ＰＸに電流供給可能な状態に制御され、２Ｎフレームでは電圧Ｖｃｃは各画素ＰＸに電流供給不可能な状態に制御される。
【００４５】
図４を参照して説明すると、本実施形態では、一方、２Ｎ−１フレームのとき、ゲートラインＧＬｉ、データラインＤＬｉ、電源ラインＰＬｉ、選択ＴＦＴ（ＴＦＴ１）、駆動ＴＦＴ（ＴＦＴ２）、保持容量Ｃｓ、ＥＬ素子ＥＬＤは所望の状態で動作し、画像信号Ｒを表示出力する。他方、２Ｎフレームのとき、電源ラインＰＬｉには電流を供給せず（もしくは逆極性の電圧を印加し）、前フレーム（２Ｎ−１）の画像信号Ｒに基づく補正信号ＣがデータラインＤＬｉへ供給される。この場合、全画面での非発光期間を設けることにより、疑似インパルス駆動となり、動画品質を向上することができる。
【００４６】
ここで、図８〜図１０を参照して第２の実施形態の効果について説明する。図８は、説明で用いる表示パネル２１における表示パターンの一例を示す模式図である。図８に示す表示パネル２１上の表示領域は、明るい表示領域Ａ１と、暗い表示領域Ａ２とを含んでいる。この場合、明るい表示領域Ａ１に対応する画素ＰＸの駆動ＴＦＴ（ＴＦＴ２）の劣化が早く、暗い表示領域Ａ２に対応する画素ＰＸの駆動ＴＦＴ（ＴＦＴ２）の劣化が遅い。図９および図１０は横軸を時間ｔとし、縦軸を輝度レベルＬｖとして、表示領域Ａ１と表示領域Ａ２の輝度変化を模式的に示した図である。図９は補正信号による負荷の印加を行わない場合を示し、図１０は本実施形態によって補正信号による負荷の印加を行った場合を示す。図９に示すように、補正信号による負荷の印加を行わない場合、表示領域Ａ１の輝度変化と表示領域Ａ２の輝度変化が異なる特性となる。この場合、輝度レベルＬｖが初期レベル１００の半分の５０に低下するまでの時間Ｔ０（輝度半減による通常の製品寿命）に対し、時間Ｔ０より短い時間Ｔ１で表示領域Ａ１の輝度と表示領域Ａ２の輝度の差が大きくなり、表示ムラが大きくなる。一方、図１０に示すように、本実施形態による補正信号による負荷の印加を行った場合、表示領域Ａ１の輝度変化と表示領域Ａ２の輝度変化が同様な特性となる。この場合、時間Ｔ０（輝度半減による通常の製品寿命）までの間、表示領域Ａ１の輝度と表示領域Ａ２の輝度の差が小さく維持され、表示ムラが大きくなることはない。
【００４７】
本実施形態によれば、相互に隣接するフレーム期間で画像信号と補正信号に基づく電圧を駆動ＴＦＴ（ＴＦＴ２）のゲートに印加することにより画面全体の輝度劣化ばらつき（ＴＦＴ閾値分布の範囲）を小さくすることができる。これにより長期間使用する場合であっても輝度ムラや焼付きのない優れた表示品位を維持することができる。とくに、静止画像を表示した場合の表示品位低下を抑制することができる。
【００４８】
また、補正信号を駆動ＴＦＴ（ＴＦＴ２）に印加している画素ＰＸは非発光状態であるため、使用者に違和感を与えることなく、表示状態のままで補正処理を実行することができる。
【００４９】
また、使用者には、非発光状態の期間を設けることにより疑似インパルス駆動となり、動画ボヤケを低減する効果を得ることができ、動画応答性能を向上することができる。
【００５０】
なお、第２の実施形態は、例えば次のように変形することができる。すなわち、図７を参照した説明では、連続するフレームで交互に画像信号と補正信号を供給することとしたが、それに限定されず、数フレーム分の画像信号から補正信号を算出してもよい。
【００５１】
また、補正信号の算出は、階調反転による生成に限定されず、各駆動ＴＦＴ（ＴＦＴ２）に供給する電圧値から補正量を算出してもよい。この場合、ＲＧＢ画素からなるピクセルだけでなく、ＲＧＢＷ画素からなるピクセルにも適用できる。
【００５２】
また、画像信号に応じて、補正信号を適用する場合のフレーム周波数ｆ１と、補正信号を適用しない場合の周波数ｆ２を変更してもよい。例えば、周波数ｆ１を周波数ｆ２×２とすることができる。具体的には、例えば、補正信号非適用時の周波数ｆ２を６０Ｈｚとし、補正信号適用時の周波数ｆ１を１２０Ｈｚとすることができる。補正信号適用時は補正期間の影響でフレーム周波数が大きく見えるため、周波数を調整することで補正信号適用／非適用の差が目立たず自然に見える。
【００５３】
以上のように、第２の実施形態の画像表示装置１では、信号変換部４が、画像信号に基づいて画像信号の表示の際に生じる複数の駆動ＴＦＴ（ＴＦＴ２）間の負荷のばらつきを１または複数のフレーム単位で、かつ、画素ＰＸ毎に補正するための補正信号を生成する。また、信号出力部３は、画像信号に基づく電圧または補正信号に基づく電圧が１または複数のフレーム単位で順次選択されて複数のデータラインＤＬ１〜ＤＬｍに対して供給されるよう制御する。また、信号出力部３は、画像信号に基づく電圧の選択期間に同期してＥＬ素子ＥＬＤが通電できる状態となるように複数の電源ラインＰＬ１〜ＰＬｍを制御し、かつ、補正信号に基づく電圧の選択期間に同期して前記自発光表示素子が通電できない状態となるように複数の電源ラインＰＬ１〜ＰＬｍを制御する。これらの制御によって、信号出力部３は、１または複数のフレーム単位で交互に、ＥＬ素子ＥＬＤが通電できる状態で駆動ＴＦＴ（ＴＦＴ２）のゲートに画像信号に基づく電圧を画素ＰＸ毎に印加するか、または、ＥＬ素子ＥＬＤが通電できない状態で駆動ＴＦＴ（ＴＦＴ２）のゲートに補正信号に基づく電圧を画素ＰＸ毎に印加する制御を行う。また、補正信号は、閾値電圧の測定等の処理を伴わずに、画像信号に基づいて生成される。したがって、第２の実施形態によれば、構成を複雑化することなく画像表示中に駆動ＴＦＴの負荷のばらつきを補正することができる。
【００５４】
なお、第２の実施形態の画像表示装置１では、信号出力部３が出力する電源ライン制御信号に基づき、電源ライン制御部２４が、１または複数のフレーム単位で交互に、各画素ＰＸすべてについてＥＬ素子ＥＬＤが通電できる状態となるように複数の電源ラインＰＬ１〜ＰＬｍを制御するか、または、各画素ＰＸすべてについてＥＬ素子ＥＬＤが通電できない状態となるように複数の電源ラインＰＬ１〜ＰＬｍを制御することができる。この構成によれば、画像信号と画像信号の間に非発光期間が設けられた形となるので、疑似インパルス駆動による動画ボヤケの抑制効果を得ることができる。
【００５５】
＜第３の実施形態＞
次に、図１１および図１２を参照して、本発明の第３の実施形態について説明する。図１１は、本発明の第３の実施形態に係る表示部２ａの構成例を示すブロック図である。図１２は、図１１に示す表示部２ａの動作例を説明するための模式図である。
【００５６】
第３の実施形態における画像表示装置の構成は、図２に示す第２の実施形態に係る画像表示装置１と基本的な構成が同一である。ただし、図２および図３に示す表示部２の構成と、図２および図３に示す表示部２へ供給される画像信号／補正信号と電源ライン制御信号の構成が異なっている。
【００５７】
図１１に示すように、第３の実施形態の表示部２ａは、図３に示す電源ライン制御部２４に代えて電源ライン制御部２４ａを備えている点と、図３に示す電源ラインＰＬ０に代えて電源ラインＰＬｏ０および電源ラインＰＬｅ０を備えている点が異なる。なお、図３と図１１において同一の構成には同一の符号を付けている。
【００５８】
図１１に示す電源ライン制御部２４ａは、電源ラインＰＬｏ０および電源ラインＰＬｅ０を用いて各画素ＰＸに対して２系統の電源を供給する。電源ラインＰＬｏ０は、奇数列の電源ラインＰＬ１、ＰＬ３、…に接続されている。電源ラインＰＬｅ０は、偶数列の電源ラインＰＬ２、ＰＬ４、…に接続されている。なお、図１１に示す例では電源ラインＰＬｍが偶数列（ｍが偶数）であるとしている。電源ライン制御部２４ａは、図２に示す信号出力部３から供給された電源ライン制御信号に応じて奇数列に共通の電源ラインＰＬｏ０の状態と偶数列に共通の電源ラインＰＬｅ０の状態を、発光状態と非発光状態とに交互に制御する。すなわち、電源ラインＰＬｏ０と電源ラインＰＬｅ０の一方が発光状態に制御されている場合、他方は非発光状態に制御される。
【００５９】
図１１に示す第３の実施形態の表示部２ａでは、電源ラインＰＬ１〜ＰＬｍがデータラインＤＬ１〜ＤＬｍに沿って配列されるとともに、奇数列の電源ラインＰＬ１、ＰＬ３、…の電圧Ｖｃｃ＿ｏと偶数列の電源ラインＰＬ２、ＰＬ４、…の電圧Ｖｃｃ＿ｅとが電源ライン制御部２４ａによって個別に制御可能である。
【００６０】
第３の実施形態では、信号変換部４（図２）によって１フレーム分の画像信号から１フレーム分の補正信号が生成され、信号出力部３（図２）によって２フレーム分の画像信号と補正信号との合成信号が生成される。この場合、２フレームのうちの一方のフレームの合成信号は、奇数列のデータラインＤＬ１、ＤＬ３、…に接続されている画素ＰＸに対応する画像信号と偶数列のデータラインＤＬ２、ＤＬ４、…に接続されている画素ＰＸに対応する補正信号とを配列した信号である。また、他方のフレームの合成信号は、奇数列のデータラインＤＬ１、ＤＬ３、…に接続されている画素ＰＸに対応する補正信号と偶数列のデータラインＤＬ２、ＤＬ４、…に接続されている画素ＰＸに対応する画像信号とを配列した信号である。
【００６１】
第３の実施形態では、図１２に１６画素ＰＸ分を示すように、矢印ＡＲ２の左に示す２Ｎ−１フレーム（Ｎ：整数）のとき、奇数列の電源ラインＰＬ１およびＰＬ３へは電流を供給し、偶数列の電源ラインＰＬ２およびＰＬ４へは電流を供給しない。また、奇数列のデータラインＤＬ１およびＤＬ３に画像信号Ｒを供給し、偶数列のデータラインＤＬ２およびＤＬ４に補正信号Ｃを供給する。一方、矢印ＡＲ２の右に示す２Ｎフレームのとき、奇数列の電源ラインＰＬ１およびＰＬ３へは電流を供給せず、偶数列の電源ラインＰＬ２およびＰＬ４へは電流を供給する。また、奇数列のデータラインＤＬ１およびＤＬ３に補正信号Ｃを供給し、偶数列のＤＬ２およびＤＬ４に画像信号Ｒを供給する。
【００６２】
本実施形態では、どのフレーム期間でも表示に寄与する画素ＰＸがあるため、補正信号を入れる間の非発光期間による違和感を低減できる。
【００６３】
以上のように、第３の実施形態では、複数の画素ＰＸと、複数のゲートラインＧＬ１〜ＧＬｎ線と、複数のデータラインＤＬ１〜ＤＬｍとが行列状に配列され、かつ、各電源ラインＰＬ１〜ＰＬｍが列状に配列されている各データラインＤＬ１〜ＤＬｍに沿って配列されている。また、信号出力部３は、各フレームにおいて、画像信号に基づく電圧または補正信号に基づく電圧の一方が選択されて奇数列の複数のデータラインＤＬ１、ＤＬ３、…に対して供給されるとともに、画像信号に基づく電圧または補正信号に基づく電圧の他方が選択されて偶数列の複数のデータラインＤＬ２、ＤＬ４、…に対して供給されるように画像信号／補正信号を生成することで表示部２ａを制御する。また、信号出力部３は、データラインＤＬ１、ＤＬ２、ＤＬ３、ＤＬ４、…の各列に対して供給される画像信号に基づく電圧または補正信号に基づく電圧が１フレーム単位で交互に異なるように画像信号／補正信号を生成することで表示部２ａを制御する。また、信号出力部３は、各フレームにおいて、奇数列の電源ラインＰＬ１、ＰＬ３、…の状態と偶数列の電源ラインＰＬ２、ＰＬ４、…の状態とが互いに異なり、かつ、各列の電源ラインＰＬ１、ＰＬ２、ＰＬ３、ＰＬ４、…の状態が１フレーム単位で交互に異なるように電源ライン制御信号を生成することで電源ライン制御部２４ａを制御する。これらの制御を行うことで、信号出力部３は、１フレーム単位で交互に、ＥＬ素子ＥＬＤが通電できる状態で駆動ＴＦＴ（ＴＦＴ２）のゲートに画像信号に基づく電圧を画素ＰＸ毎に印加するか、または、ＥＬ素子ＥＬＤが通電できない状態で駆動ＴＦＴ（ＴＦＴ２）のゲートに補正信号に基づく電圧を画素ＰＸ毎に印加する制御を行う。また、補正信号は、閾値電圧の測定等の処理を伴わずに、画像信号に基づいて生成される。したがって、第３の実施形態によれば、構成を複雑化することなく画像表示中に駆動ＴＦＴの負荷のばらつきを補正することができる。また、本実施形態では、どのフレーム期間でも表示に寄与する画素ＰＸがあるため、補正信号を入れる間の非発光期間による違和感を低減できる。
【００６４】
＜第４の実施形態＞
次に、図１３および図１４を参照して、本発明の第４の実施形態について説明する。図１３は、本発明の第４の実施形態に係る表示部２ｂの構成例を示すブロック図である。図１４は、第４の実施形態における図１３に示す表示部２ｂの動作例を説明するための模式図である。第４の実施形態における画像表示装置の構成は、図２に示す第２の実施形態に係る画像表示装置１と基本的な構成が同一である。ただし、図２および図３に示す表示部２の構成と、図２および図３に示す表示部２へ供給される画像信号／補正信号と電源ライン制御信号の構成が異なっている。
【００６５】
図１３に示すように、第４の実施形態の表示部２ｂは、図３に示す電源ライン制御部２４に代えて電源ライン制御部２４ｂを備えている点と、図３に示す電源ラインＰＬ０に代えて電源ラインＰＬｏ０および電源ラインＰＬｅ０を備えている点が異なる。なお、図３と図１３において同一の構成には同一の符号を付けている。
【００６６】
図１３に示す電源ライン制御部２４ｂは、電源ラインＰＬｏ０および電源ラインＰＬｅ０を用いて各画素ＰＸに対して２系統の電源を供給する。電源ラインＰＬｏ０は、奇数行の電源ラインＰＬ１、…に接続されている。電源ラインＰＬｅ０は、偶数行の電源ラインＰＬ２、…、ＰＬｎに接続されている。なお、図１３に示す例では電源ラインＰＬｎが偶数行（ｎが偶数）であるとしている。電源ライン制御部２４ｂは、図２に示す信号出力部３から供給された電源ライン制御信号に応じて奇数行に共通の電源ラインＰＬｏ０の状態と偶数行に共通の電源ラインＰＬｅ０の状態を、発光状態と非発光状態とに交互に制御する。すなわち、電源ラインＰＬｏ０と電源ラインＰＬｅ０の一方が発光状態に制御されている場合、他方は非発光状態に制御される。また、発光状態と非発光状態とは例えばフレーム毎に反転する。
【００６７】
図１３に示す第４の実施形態の表示部２ｂでは、電源ラインＰＬ１〜ＰＬｎがゲートラインＧＬ１〜ＧＬｎに沿って配列されるとともに、奇数行の電源ラインＰＬ１、…の電圧Ｖｃｃ＿ｏと偶数行の電源ラインＰＬ２、…の電圧Ｖｃｃ＿ｅとが電源ライン制御部２４ｂによって個別に制御可能である。
【００６８】
第４の実施形態では、信号変換部４（図２）によって１フレーム分の画像信号から１フレーム分の補正信号が生成され、信号出力部３（図２）によって２フレーム分の画像信号と補正信号との合成信号が生成される。この場合、２フレームのうちの一方のフレームの合成信号は、奇数行の画素ＰＸに対応する画像信号と偶数行の画素ＰＸに対応する補正信号とを交互に配列した信号である。また、他方のフレームの合成信号は、奇数行の画素ＰＸに対応する補正信号と偶数行の画素ＰＸに対応する画像信号とを交互に配列した信号である。
【００６９】
第４の実施形態では、図１４に１６画素ＰＸ分を示すように、矢印ＡＲ３の左に示す２Ｎ−１フレーム（Ｎ：整数）のとき、奇数行の電源ラインＰＬ１およびＰＬ３へは電流を供給し、偶数行の電源ラインＰＬ２およびＰＬ４へは電流を供給しない。また、電源ラインＰＬ１〜ＰＬ４からの電流供給／非供給に合わせて、データラインＤＬ１〜ＤＬ４は、複数のゲートラインＧＬ１〜ＧＬ４の各行の走査タイミングに同期して交互に画像信号Ｒと補正信号Ｃを選択して各画素ＰＸに対して順次供給する。また、矢印ＡＲ３の右に示す２Ｎフレームのとき、奇数行の電源ラインＰＬ１およびＰＬ３へは電流を供給せず、偶数行の電源ラインＰＬ２およびＰＬ４へは電流を供給する。また、電源ラインＰＬ１〜ＰＬ４からの電流供給／非供給に合わせて、データラインＤＬ１〜ＤＬ４は、複数のゲートラインＧＬ１〜ＧＬ４の各行の走査タイミングに同期して交互に補正信号Ｃと画像信号Ｒを選択して各画素ＰＸに対して順次供給する。
【００７０】
なお、本実施形態においては、補正信号生成部４１（図２）における補正信号の算出を、ラインメモリを利用して１ライン毎の画像信号データから算出してもよい。この場合、計算時のフレーム遅延を抑制することができる。
【００７１】
以上のように、第４の実施形態では、複数の画素ＰＸと、複数のゲートラインＧＬ１〜ＧＬｎ線と、複数のデータラインＤＬ１〜ＤＬｍとが行列状に配列され、かつ、各電源ラインＰＬ１〜ＰＬｎが行状に配列されている各ゲートラインＧＬ１〜ＧＬｎに沿って配列されている。また、信号出力部３は、画像信号に基づく電圧または補正信号に基づく電圧が複数のゲートラインＧＬ１〜ＧＬｎの各行の走査タイミングに同期して交互に選択されて複数のデータラインＤＬ１〜ＤＬｍに対して供給され、かつ、各行の走査タイミングに同期して選択される画像信号に基づく電圧または補正信号に基づく電圧が１フレーム単位で交互に異なるように画像信号／補正信号を生成することで表示部２ｂを制御する。また、信号出力部３は、各フレームにおいて、奇数行の電源ラインＰＬ１、ＰＬ３、…の状態と偶数行の電源ラインＰＬ２、ＰＬ４、…の状態とが互いに異なり、かつ、各行の電源ラインＰＬ１、ＰＬ２、ＰＬ３、ＰＬ４、…の状態が１フレーム単位で交互に異なるように電源ライン制御信号を生成することで電源ライン制御部２４ｂを制御する。これらの制御を行うことで、信号出力部３は、１フレーム単位で交互に、ＥＬ素子ＥＬＤが通電できる状態で駆動ＴＦＴ（ＴＦＴ２）のゲートに画像信号に基づく電圧を画素ＰＸ毎に印加するか、または、ＥＬ素子ＥＬＤが通電できない状態で駆動ＴＦＴ（ＴＦＴ２）のゲートに補正信号に基づく電圧を画素ＰＸ毎に印加する制御を行う。また、補正信号は、閾値電圧の測定等の処理を伴わずに、画像信号に基づいて生成される。したがって、第４の実施形態によれば、構成を複雑化することなく画像表示中に駆動ＴＦＴの負荷のばらつきを補正することができる。また、本実施形態では、どのフレーム期間でも表示に寄与する画素ＰＸがあるため、補正信号を入れる間の非発光期間による違和感を低減できる。
【００７２】
＜第５の実施形態＞
次に、図１５〜図１７を参照して、本発明の第５の実施形態について説明する。図１５は、本発明の第５の実施形態に係る表示部２ｃの構成例を示すブロック図である。図１６および図１７は、第５の実施形態における図１５に示す表示部２ｃの動作例を説明するための模式図である。第５の実施形態における画像表示装置の構成は、図２に示す第２の実施形態に係る画像表示装置１と基本的な構成が同一である。ただし、第５の実施形態の表示部２ｃの構成は図２および図３に示す表示部２の構成と異なる。また、図１５に示す表示部２ｃへ信号出力部３（図２）から供給される画像信号／補正信号と電源ライン制御信号の構成が第５の実施形態と第３の実施形態とでは次の点が異なっている。
【００７３】
第５の実施形態では、図１５に示すように、電源ラインＰＬ１〜ＰＬｍがデータラインＤＬ１〜ＤＬｍに沿って配列されるとともに、奇数列の電源ラインＰＬ１、ＰＬ３、…に電源ラインＰＬｏ０を介して印加される電圧Ｖｃｃ＿ｏと偶数列の電源ラインＰＬ２、ＰＬ４、…電源ラインＰＬｅ０を介して印加される電圧Ｖｃｃ＿ｅとが電源ライン制御部２４ｂによって個別に制御可能である。さらに、電源ライン制御部２４ｂから図４に示すＥＬ素子ＥＬＤに対してカソード電圧Ｖｃａｔｈを印加する電源ラインＰＬ１ｄ、ＰＬ２ｄ、…、ＰＬ（ｎ−１）ｄ、ＰＬｎｄが、ゲートラインＧＬ１〜ＧＬｎに沿って配列されている。また、電源ラインＰＬ１ｄ、ＰＬ２ｄ、…、ＰＬ（ｎ−１）ｄ、ＰＬｎｄのうち、奇数行の電源ラインＰＬ１ｄ、…、ＰＬ（ｎ−１）ｄに電源ラインＰＬｏ０ｄを介して印加される電圧Ｖｃａｔｈ＿ｏと偶数行の電源ラインＰＬ２ｄ、…、ＰＬｎｄに電源ラインＰＬｅ０ｄを介して印加される電圧Ｖｃａｔｈ＿ｅとが電源ライン制御部２４ｃよって個別に制御される。この構成では、電源ラインＰＬ１〜ＰＬｍと電源ラインＰＬ１ｄ〜ＰＬｎｄがともに電流供給状態とされる各画素ＰＸが表示状態となる。
【００７４】
また、第５の実施形態では、信号変換部４（図２）によって１フレーム分の画像信号から３フレーム分の補正信号が生成され、信号出力部３（図２）によって４フレーム分の画像信号と補正信号との合成信号が生成される。この場合、４フレームの合成信号は、画像信号Ｒと補正信号Ｃを４フレームにわたって市松状に合成した信号である。ここで、４フレームの合成信号は、図１６および図１７に示すように、画像信号Ｒが割り当てられる各画素ＰＸと、補正信号Ｃが割り当てられる各画素ＰＸとの配置関係が隣接する４画素毎に相互に入れ替わる関係を有している。
【００７５】
次に、図１６および図１７を参照して図１５に示す表示部２ｃの動作例について説明する。図１６および図１７は、図１５に示す表示部２ｃが有する左上端の１６画素ＰＸを示す。図１６は、矢印ＡＲ４の左に２Ｎ−１フレーム（Ｎ：整数）の動作状態の一例を示し、矢印ＡＲ４の右に２Ｎフレームの動作状態の一例を示す。また、図１７は、矢印ＡＲ５の右に２Ｎ＋１フレームの動作状態の一例を示し、矢印ＡＲ６の右に２Ｎ＋２フレームの動作状態の一例を示す。
【００７６】
第５の実施形態では、２Ｎ−１フレームのとき、例えば、図１６に示すように、奇数列の電源ラインＰＬ１およびＰＬ３が電流供給状態に制御され、偶数列の電源ラインＰＬ２およびＰＬ４が電流非給状態に制御される。また、奇数行の電源ラインＰＬ１ｄおよびＰＬ３ｄが電流供給状態に制御され、偶数行の電源ラインＰＬ２ｄおよびＰＬ４ｄが電流非給状態に制御される。さらに、奇数列のデータラインＤＬ１およびＤＬ３へは画像信号と補正信号が交互に各行の走査タイミングに同期して供給される。一方、偶数列のデータラインＤＬ２およびＤＬ４へは補正信号が各行の走査タイミングに同期して供給される。また、図１６に示すように、２Ｎフレームのとき、奇数列の電源ラインＰＬ１およびＰＬ３が電流供給状態に制御され、偶数列の電源ラインＰＬ２およびＰＬ４が電流非給状態に制御される。また、奇数行の電源ラインＰＬ１ｄおよびＰＬ３ｄが電流非供給状態に制御され、偶数行の電源ラインＰＬ２ｄおよびＰＬ４ｄが電流給状態に制御される。さらに、奇数列のデータラインＤＬ１およびＤＬ３へは補正信号と画像信号とが交互に各行の走査タイミングに同期して供給される。一方、偶数列のデータラインＤＬ２およびＤＬ４へは補正信号が各行の走査タイミングに同期して供給される。
【００７７】
また、図１７に示すように、２Ｎ＋１フレームのとき、奇数列の電源ラインＰＬ１およびＰＬ３が電流非供給状態に制御され、偶数列の電源ラインＰＬ２およびＰＬ４が電流給状態に制御される。また、奇数行の電源ラインＰＬ１ｄおよびＰＬ３ｄが電流供給状態に制御され、偶数行の電源ラインＰＬ２ｄおよびＰＬ４ｄが電流非給状態に制御される。さらに、奇数列のデータラインＤＬ１およびＤＬ３へは補正信号が各行の走査タイミングに同期して供給される。一方、偶数列のデータラインＤＬ２およびＤＬ４へは画像信号と補正信号が交互に各行の走査タイミングに同期して供給される。また、図１７に示すように、２Ｎ＋２フレームのとき、奇数列の電源ラインＰＬ１およびＰＬ３が電流非供給状態に制御され、偶数列の電源ラインＰＬ２およびＰＬ４が電流給状態に制御される。また、奇数行の電源ラインＰＬ１ｄおよびＰＬ３ｄが電流非供給状態に制御され、偶数行の電源ラインＰＬ２ｄおよびＰＬ４ｄが電流給状態に制御される。さらに、奇数列のデータラインＤＬ１およびＤＬ３へは補正信号が各行の走査タイミングに同期して供給される。一方、偶数列のデータラインＤＬ２およびＤＬ４へは補正信号と画像信号とが交互に各行の走査タイミングに同期して供給される。
【００７８】
以上のように、第５の実施形態では、複数の画素ＰＸと、複数のゲートラインＧＬ１〜ＧＬｎと、複数のデータラインＤＬ１〜ＤＬｍとが行列状に配列され、かつ、各電源ラインＰＬ１〜ＰＬｍが列状に配列されている各データラインＤＬ１〜ＤＬｍに沿って配列されている。また、各電源ラインＰＬ１ｄ〜ＰＬｎｄが行状に配列されている各ゲートラインＧＬ１〜ＧＬｎに沿って配列されている。また、信号出力部３は、所定のフレーム単位で、画像信号または補正信号が供給され、かつ、奇数列の複数のデータラインＤＬ１、ＤＬ３、…に対して供給される画像信号もしくは補正信号または補正信号に基づく電圧の並びが、偶数列の複数のデータラインＤＬ２、ＤＬ４、…に対して供給される補正信号または画像信号もしくは補正信号に基づく電圧の並びとは異なるように画像信号／補正信号を生成することで表示部２ｂを制御する。かつ、信号出力部３は、所定のフレーム単位で、奇数列の電源ラインＰＬ１、ＰＬ３、…の状態と偶数列の電源ラインＰＬ２、ＰＬ４、…の状態とが互いに異なり、かつ、奇数行の電源ラインＰＬ１ｄ、ＰＬ３ｄ、…の状態と偶数行の電源ラインＰＬ２ｄ、ＰＬ４ｄ、…の状態とが互いに異なり、かつ、各電源ラインをＥＬ素子ＥＬＤが通電できる状態または通電できない状態となるように制御し、かつ、各列および各行の電源ラインの状態が１フレーム単位で交互に異なるように制御するとともに、画像信号／補正信号を所定のフレーム単位で生成することで表示部２ｃを制御する。これらの制御を行うことで、信号出力部３は、所定のフレーム単位、ＥＬ素子ＥＬＤが通電できる状態で駆動ＴＦＴ（ＴＦＴ２）のゲートに画像信号に基づく電圧を画素ＰＸ毎に印加するか、または、ＥＬ素子ＥＬＤが通電できない状態で駆動ＴＦＴ（ＴＦＴ２）のゲートに補正信号に基づく電圧を画素ＰＸ毎に印加する制御を行う。また、補正信号は、閾値電圧の測定等の処理を伴わずに、画像信号に基づいて生成される。したがって、第５の実施形態によれば、構成を複雑化することなく画像表示中に駆動ＴＦＴの負荷のばらつきを補正することができる。また、本実施形態では、どのフレーム期間でも表示に寄与する画素ＰＸがあるため、補正信号を入れる間の非発光期間による違和感を低減できる。
【００７９】
なお、図１５に示す構成例では、電源ラインＰＬ１〜ＰＬｍを列方向に配列し、電源ラインＰＬ１ｄ〜ＰＬｎｄを行方向に配列しているが、列方向と行方向を入れ替えるように構成を変更してもよい。
【００８０】
以上、この発明の実施形態を図面を参照して詳述してきたが、具体的な構成はこの実施形態に限られるものではなく、この発明の要旨を逸脱しない範囲の設計等も含まれる。例えば、第１〜第５の実施形態の構成の一部や動作の一部を適宜入れ替えたり組み合わせたりすることができる。また、例えば、電源ラインのパターンは、画像信号・補正信号を入力するパターンに応じて独立に制御すればよく、上述した構成や動作に限定されない。また、例えば、上記では自発光表示素子を用いるアクティブマトリクス駆動のディスプレイを例にして本発明の実施形態について説明したが、本発明は自発光表示素子を用いるパッシブ駆動のディスプレイに対しても適用することができる。本発明は、自発光ディスプレイに関する発明であり、透過型自発光ディスプレイ（透明ＯＬＥＤ等）にも好適に適用できる。透明自発光ディスプレイに適用した場合は、非発光期間が透明状態となるため、発光表示情報とシースルー状態（透過状態）を両立した表示品位を提供することができる。また、ミラー型自発光ディスプレイにも好適に適用できる。
【符号の説明】
【００８１】
１、１０１  画像表示装置
２、２ａ、２ｂ、２ｃ、１０２  表示部
２１  表示パネル
２４、２４ａ、２４ｂ、２４ｃ、  電源ライン制御部
２２  ゲートライン駆動部
２３  データライン駆動部
３  信号出力部
４  信号変換部
４１  補正信号生成部
４２  記憶部
１０３  制御部
１０４  電源線
１０５、ＰＸ  画素
１０６  駆動トランジスタ
１０７  自発光表示素子
ＴＦＴ１  選択ＴＦＴ
ＴＦＴ２  駆動ＴＦＴ
Ｃｓ  保持容量
ＥＬＤ  ＥＬ素子
ＰＬ０、ＰＬ１、ＰＬ２、ＰＬ３、ＰＬ４、ＰＬｍ、ＰＬｏ０、ＰＬｅ０、ＰＬ１ｄ、ＰＬ２ｄ、ＰＬ３ｄ、ＰＬ４ｄ、ＰＬ（ｎ−１）ｄ、ＰＬｎｄ、ＰＬｏ０ｄ、ＰＬｅ０ｄ    電源ライン
ＧＬ１、ＧＬ２、ＧＬ３、ＧＬ４、ＧＬｎ  ゲートライン
ＤＬ１、ＤＬ２、ＤＬ３、ＤＬ４、ＤＬｍ  データライン
【図１】
0006677402.tif 000002
【図２】
0006677402.tif 000003
【図３】
0006677402.tif 000004
【図４】
0006677402.tif 000005
【図５】
0006677402.tif 000006
【図６】
0006677402.tif 000007
【図７】
0006677402.tif 000008
【図８】
0006677402.tif 000009
【図９】
0006677402.tif 000010
【図１０】
0006677402.tif 000011
【図１１】
0006677402.tif 000012
【図１２】
0006677402.tif 000013
【図１３】
0006677402.tif 000014
【図１４】
0006677402.tif 000015
【図１５】
0006677402.tif 000016
【図１６】
0006677402.tif 000017
【図１７】
0006677402.tif 000018